(57)【要約】【課題】信頼性が高く費用効果があるスナップ適合形式の調節デバイス【解決手段】スナップ適合形式の調節デバイスは、往復移動可能な支持体（２）と、構造体（３）との間に適用されている。支持体は、互いに平行な２つのプレート（４）に固定された下側プレート（５）を有している。これら平行なプレートは、構造体の互いに対応した細長い２つの外形部（６）に移動可能に一緒に接続されている。各細長い外形部（９）は、のこ歯（２４）を有したラック（２３）が固定されたＵ字形状部（１２）により形成された部分（１１）を有している。このラックは、２つのプレートにより支持された回動バー（２２）に取着された、対応したスナップ適合形式の部材（２６）により係合される。回転バーには、弾性手段（２８）の動作に作用可能な少なくとも１つのノブ（２９）が設けられている。【選択図】  図４
2007253941.tif 000002
【特許請求の範囲】
【請求項１】
往復移動可能な支持体（２）と、構造体（３）との間のスナップ適合形式の調節デバイスであって、
前記支持体（２）は、前記構造体（３）の互いに対応した２つの細長い外形部（６）に対して移動可能で接続され、互いに平行な少なくとも２つのプレート（４，４ａ）を有し、前記２つの細長い外形部（６）の各々は、のこ歯（２４）を有したラック（２３）としっかりと接続され、前記少なくとも２つのプレート（４，４ａ）の各々は、これに対応したスナップ適合形式の部材（２６）を有し、この部材は、通常、弾性手段（２８）により、この部材に対応したラック（２３）に係合するように保持されている調節デバイスにおいて、
前記２つのスナップ適合形式の部材（２６）は、前記少なくとも２つのプレート（４，４ａ）により支持された回動バー（２２）に固定されており、前記２つのスナップ適合形式の部材（２６）の各々は、これに対応したラック（２３）の２つののこ歯（２４）間に係合する少なくとも１つの歯部（２７）を有しており、手動手段（２９）が、前記２つのスナップ適合形式の部材（２６）を前記両ラック（２３）からそれぞれ同時に開放するように設けられていることを特徴とする調節デバイス。
【請求項２】
前記スナップ適合形式の部材の各々は、対応した各ラック（２３）の２つののこ歯（２４）に係合する少なくとも２つの歯部（２７）を有した爪部（２６）により形成されていることを特徴とする請求項１の調節デバイス。
【請求項３】
前記両ラック（２３）ののこ歯（２４）と、前記両爪部（２６）の歯部（２７）とは、前記手動手段（２９）を動作させることなく、前記少なくとも２つのプレート（４）を第１の方向へとスナップ適合形式で移動させ得るように形成されていることと特徴とする請求項１又は２の調節デバイス。
【請求項４】
前記ラック（２３）の各々には、前記第１の方向とは反対の方向のストロークの終了位置に、ロック形式の歯部（３１）が設けられ、前記爪部（２６）の各々は、前記ストロークの終了位置で、前記ロック形式の歯部（３１）に係合する更なる歯部（３２）を有していることを特徴とする請求項３の調節デバイス。
【請求項５】
前記更なる歯部（３２）は、前記ストロークの終了位置で、前記ロック形式の歯部（３１）から開放されるのを防止するように、前記ラック（２３）の区画部（３３）に関連付けられていることを特徴とする請求項４の調節デバイス。
【請求項６】
前記細長い外形部（６）の各々は、１つの側壁（１３）と２つのウィング（１４）とが設けられたＵ字形状部（１２）により形成された部分（１１）を有し、前記回動バー（２２）は、互いに対応したＵ字形状部の２つのウィング（１４）に形成された２つのスロット（２１）内で摺動可能であり、前記ラック（２３）の各々は、これに対応したＵ字形状部（１２）の前記側壁（１３）に取着されていることを特徴とする前記全ての請求項のいずれか１の調節デバイス。
【請求項７】
前記手動手段は、前記回動バー（２２）に固定された少なくとも１つのノブ（２９）を、前記Ｕ字形状部（１２）の一方の外側に有していることを特徴とする請求項６の調節デバイス。
【請求項８】
前記両Ｕ字形状部（１２）は、前記回動バー（２２）に平行な第２のバー（１６）を有し、前記各プレート（４）には、前記構造体（２）の前方への転倒を防止するように、このプレートに対応したスロット（１７）が形成されていることを特徴とする請求項７の調節デバイス。
【請求項９】
前記両Ｕ字形状部（１２）は、前記回動バー（２２）に平行な第２のバー（１６）により一緒に接続され、前記各プレート（４ａ）には、このプレートに対応したＵ字形状部（１２）の前記側壁（１３）に係合して、前記構造体（２）の前方への転倒を防止するように、曲げられたストリップ（３７）が形成されていることを特徴とする請求項７の調節デバイス。
【請求項１０】
前記支持体（２）と前記構造体とが、自動車の座席に配設されるチャイルドキャリアシート（９）のために設けられている前記全ての請求項のいずれか１に係る調節デバイスにおいて、前記細長い２つの外形部（６）は、前記座席に固定された対応したアンカー部材と係合する所定の形状端部（１９）を有する他の形状部（１８）を備えていることを特徴とする調節デバイス。
【請求項１１】
自動車の座席にチャイルドシートを取着させるアンカーシステムにおいて、前記全ての請求項のいずれか１に係る、往復移動可能な支持体（２）と、構造体（３）との間のスナップ適合形式のデバイス（１）を具備していることを特徴とするアンカーシステム。
【請求項１２】
チャイルドシートであって、
請求項１１に係る、自動車の座席に取着される、チャイルドシート用のアンカーシステムを具備していることを特徴とするチャイルドシート。
【発明の詳細な説明】
【技術分野】
【０００１】
本発明は、往復移動可能な支持体と、構造体との間のスナップ適合形式の調節デバイスに関する。特に、本発明は、支持体、即ちチャイルドキャリアシートの固定構造体と、自動車の座席に配設されるのに適した、チャイルドシートに対する可動の構造体との間の調節デバイスに関する。
【背景技術】
【０００２】
チャイルドシートの支持体により支持されたスナップ適合部材に係合されるのに適したラックが、動の構造体に設けられた、様々なスナップ適合形式の調節デバイスが知られている。このようなデバイスは、一般に、効果が不十分であり、支持体の摺動をかなり困難にしている。
【０００３】
このような摺動を容易にさせるために、各ラックが、このラックの１ピッチとほぼ同じ距離だけ離間した２つのロック部材を有する対応したスナップ適合メカニズムに係合されている、スナップ適合形式の調節デバイスが、また、提案されている。各ロック部材を各ラックから開放させるために、２つのロック部材を同時に開放するのに適した部分を各々が有する１対のカムと一体的なノブが、設けられている。
【発明の開示】
【発明が解決しようとする課題】
【０００４】
本発明の目的は、信頼性が高く、費用効果があり、知られた技術の調節デバイスの欠点を除去した上記のタイプのスナップ適合形式の調節デバイスを形成することである。
【課題を解決するための手段】
【０００５】
本発明によれば、この目的は、請求項１に規定されたような、往復移動可能な支持体と、構造体との間のスナップ適合形式の調節デバイスにより達成される。
【０００６】
本発明のより良い理解のために、好ましい実施形態が、一例として、添付図面を参照して説明される。
【発明を実施するための最良の形態】
【０００７】
図１において、参照符号９は、図面に示されていない自動車の座席に子供を支持させるのに適した一般のチャイルドキャリアシートを全体的に示している。参照符号１は、往復移動可能な支持体２と、構造体３との間のスナップ形式の調節デバイスを全体的に示している。特に、支持体２は、チャイルドシート９の固定構造体を構成し、一方、構造体３は、チャイルドシート９に対して移動可能である。図１に破線で示された、通常のパッド入りのチャイルドシート８は、図４に概略的に示された所定の形状の下側プレート５により、支持体２に固定されている。
【０００８】
さらに、前記支持体２は、ほぼ垂直な少なくとも２つのプレート４を有している。各プレートは、ボルト７により、前記下側プレート５の対応したリブ１０に取着されている。前記可動の構造体３は、互いに対応した、細長く真っ直ぐな２つの外形部６により構成され、これら外形部は、好ましくは剛性の構造体３を形成するように、横方向に延びた少なくとも１つのバー１６により、一緒に接続されている。前記各プレート４には、横方向に延びたバー１６と係合して、支持体２の前方への転倒を防止するようになっている、細長いスロット１７が形成されている。
【０００９】
前記構造体３の細長い外形部６は、各々が、１つの水平の側壁(flank)１３と、互いに平行な２つの垂直のウィング１４とを有するＵ字形状部１２（図４）により形成された前部１１を備えている。前記下側プレート５は、２つの断続部１５ａが設けられた少なくとも２つの横方向の壁部１５を下面に有している(exhibits)。これら壁部の各々は、これに対応したＵ字形状部１２を留めている。
【００１０】
最後に、前記各細長い外形部６は、箱型の外形部により形成された後部１８（図１）を有している。この後部１８は、後端部が、一般に「クロコダイル」と呼ばれる所定の形状端部１９で終端している。この形状端部は、ＩＳＯＦＩＸとして一般に知られるアンカーシステムにより、対応したアンカー部材に、例えば、自動車の後部座席の背もたれの後部に固定されたピンに、知られた方法で係合するのに適している。
【００１１】
前記各Ｕ字形状部１２の２つのウィング１４（図４）には、対応した２つのスロット２１が形成されており、これらスロット内で、円形の断面のバー２２が、長手方向に摺動可能である。このバー２２は、前記２つのプレート４に回動可能に装着されている。また、このバーには、プレート４に対する横方向の摺動を防止する少なくとも２つのフランジ２０が設けられている。各Ｕ字形状部１２の側壁１３には、ほぼ台形形状ののこ歯２４を備えたラック２３（図２）が、例えば溶接により、Ｕ字形状部内で前記ウィング１４に平行に固定されている。
【００１２】
前記各プレート４のところで、前記回動バー２２には、爪部２６により構成されたスナップ適合部材が装着されている。この爪部は、前記ラック２３の２つののこ歯間に係合するのに適した少なくとも１つの歯部２７を有している。この目的のために、２つのねじりばね２８（図４）により形成された弾性手段が、各々、一端部は、対応した形状部１２のウィング１４に取着され、他端部は、爪部２６に取着されている。
【００１３】
好ましくは、各爪部２６（また図２を見よ）には、２つの歯部２７が下面に設けられ、これら歯部は、前記ラック２３のピッチに従って互いに離間している。かくして、これら２つの歯部２７は、爪部２６とラック２３とのスナップ係合を確実にしている。最終的に、手動手段が、２つの爪部２６をラック２３から開放するために、考えられる。特に、この手動手段は、回動バー２２の両端部にそれぞれ取着された刻み付きのノブ２９を、対応した形状部１２の外側に有している。明らかに、使用においては、２つのノブ２９の一方のみを動作させるだけで十分である。
【００１４】
前記ラック２３ののこ歯２４と、前記爪部２６の歯部２７とは、前記ノブ２９を動作させることなく、爪部２６を第１の方向、即ち後方（図２の左方向）にスナップ適合形式で移動させ得るように形成されている。代わって、前記プレート４を前方（図２の右方向）に移動させるためには、２つのノブ２９の一方は、矢印Ｒにより図２に示されているように、逆時計回りに回動されなければならない。この結果、前記回動バー２２は、２つの爪部２６と一緒に、前記ばね２８の付勢に抗して回動され、これと同時に、歯部２７をラック２３から開放する。かくして、歯部２７が開放された状態において、例えば前記座席８に作用することにより、支持体を前方に押すことができる(sufficient)。
【００１５】
各ラック２３の前端部には、前記支持体２の前方へのストロークの終了位置を決定するロック形式の歯部３１が設けられている。このロック形式の歯部３１（また図５を見よ）は、前記のこ歯２４よりも高い。このロック形式の歯部３１は、また、のこ歯２４の外側カッティング部にアライメントされた段部３０を有している。
【００１６】
前記爪部２６の各々には、前記歯部３１に係合するのに適した区画部３３に関連した更なる歯部３２が設けられ、このため、前記プレート４が前方へのストロークの終了時に細長い外形部６から外れることは、防止される。各爪部２６は、回動を制限するように、図５に示されているように、前記ラック２３に係合するのに適したエッジ３４を有している。爪部２６の前記区画部３３は、歯部２７間の区画部のエッジよりも長いエッジ３６を有している。このエッジ３６は、支持体２が、図１に示されているように、引き出された位置(extracted position)、即ち前方ストロークの終了位置にあるとき、エッジ３６を前記ロック形式の歯部３１から外すことなく、歯部２７をのこ歯２４から開放し得るように形成されている。このロック形式の歯部３１と更なる歯部３２とは、歯部３２を歯部３１から開放するために、支持体２をわずかに回動させ得るように成形されている。
【００１７】
スナップ形式の調節デバイス１は、以下のように動作する。
【００１８】
図１において、座席８の支持体２は、引き出された位置にあり、このとき、爪部２６は、図３の位置にある。通常、自動車の座席に取着されるチャイルドシート９は、引き寄せられた(drawn-up)位置にあり、このとき、ばね２８は、歯部２７が、図２に示されているようにラック２３の歯部２４に係合した状態で爪部２６を保持している。チャイルドシート９を自動車の座席の支持体に取着するために、複数のノブ２９の一方が、最初に、矢印Ｒの方向へと回動され、この結果、爪部２６が、ラック２３から開放される。次に、チャイルドシート９が、支持体２を細長い外形部６に沿ってストロークの終了まで引き出されるように、前方へと引っ張られる。この結果、爪部２６が、図５に示された位置にもたらされる。ノブ２９を自由にすることにより、ばね２８（また図４を見よ）は、区画部３３を、図３に示されているように、対応したラック２３のロック形式の歯部３１に係合させるように、爪部２６を戻す。
【００１９】
前記後部１８の所定の形状の２つの端部１９は、自動車の後部座席の支持体に取着され、複数のノブ２９の一方は、各歯部３２を、図５に示されているように、歯部３１からそれぞれ開放するように、再び回動される。この目的のために、支持体２は、各歯部３２が、対応したロック形式の歯部３１の後にもたらされるまで、座席８により後方へとわずかに移動される。
【００２０】
前記ノブ２９は、開放されて、座席８が支持体２と一緒に後方へと押されて、歯部２７が爪部２６から外されるができる。この結果、支持体２は、座席８が自動車の後部座席の背もたれに静止するまで、構造体３に対して長手方向に移動する。爪部２６の歯部２７が、ラック２３の歯部２４にそれぞれ係合することにより、支持体２と座席８との前方への移動が、突然のブレーキの場合にも防止される。前記スロット１７の横方向のバー１６との係合により、支持体２の前方への転倒は防止される。
【００２１】
チャイルドシート９の支持体２のプレート４は、強い応力を受けるので、図１ないし４の変更において、これらプレートは、かなりの厚さを有する。図６の変形例によれば、支持体２は、減じられた厚さを有する２つのプレート４ａを有することが好ましく、これらプレートの一方のみが、図に示されている。各プレート４ａは、構造体３の対応したＵ字形状部１２の外側に配設されている。各プレート４ａには、水平に配設された、曲げられたストリップ３７が設けられ、このため、プレート４ａは、Ｌ字形状を有している。両プレート４ａは、構造体３の対応したＵ字形状部１２の外側に配設されている。
【００２２】
各プレート４ａは、ねじ７により、チャイルドシート９の下側プレート５の対応したリブ１０ａに接続されている。各プレート４ａのストリップ３７は、対応したＵ字形状部１２の側壁１３に係合し、かくして、チャイルドシートの非転倒機能を確実にしている。従って、各プレート４ａには、図１のスロット１７が形成されておらず、従って、プレートは、かなりの強度を更に有している。
【００２３】
図面に示されていない更なる変形例によれば、支持体２は、Ｕ字形状の断面の２つのプレートを有し、各プレートには、Ｕ字形状部１２の両側に配設された２つのウィングが設けられている。これらウィングの一方は、下側プレート５の対応したリブ１０に接続され、一方、他方のウィングには、構造体３のバー１６の突出のための通路が設けられている。非転倒機能は、また、この場合、２つの細長い外形部６の２つの内側ウィングを接続している水平の壁部により、形成されることができる。
【００２４】
以上のことから、本発明に係る調節デバイス１とチャイルドシート９とが、知られた技術に対して得られるという効果は、明らかである。特に、調節デバイス１は、操作が非常にシンプルであり、製造するのが安価である。
【００２５】
説明された調節デバイスとチャイルドシートとが、請求項の範囲から逸脱することなく変更並びに完成され得ることは理解される。例えば、調節デバイス１には、１つだけのノブ２９が設けられることができる。さらに、各ノブ２９は、レバー、若しくは、爪部２６の付属品に動作するボタンにより、取って代わることができる。前記下側プレート５の各横方向の壁部１５は、２つのリブ１０に関連した、分離した２つの部分により形成されることができ、一方、前記フランジ２０は、２つの細長い形状部２６の内側ウィングに係合するように配設されることができる。最後に、各細長い外形部６、並びに/若しくは、支持体２の各プレート４，４ａは、上述した断面とは異なる断面を有することができる。
【図面の簡単な説明】
【００２６】
【図１】本発明に係るスナップ適合形式の調節デバイスが設けられたチャイルドキャリアシートの部分的な斜視図である。
【図２】引き寄せられた位置にある、動作状態の図１のデバイスの細部の拡大側面図である。
【図３】図１の引き出された位置にある、図２の詳細図である。
【図４】図１のデバイスの断面図である。
【図５】更なる動作位置にある図３の詳細図である。
【図６】図１の変形例がわずかに拡大された部分断面図である。
【符号の説明】
【００２７】
２…支持体、３…構造体、４，４ａ…プレート、６…細長い外形部、２２…回動バー、２３…ラック、２４…のこ歯、２６…スナップ適合形式の部材（爪部）、２７…歯部、２８…弾性手段、２９…手動手段
【図１】
2007253941.tif 000003
【図２】
2007253941.tif 000004
【図３】
2007253941.tif 000005
【図４】
2007253941.tif 000006
【図５】
2007253941.tif 000007
【図６】
2007253941.tif 000008
【外国語明細書】
2007253941000001.pdf